(57)【要約】【課題】売り場が明るく見え、消費者の購買意欲を刺激することができる包装用容器を提供する。【解決手段】包装用容器１は、底面部２１と側壁面部２２とで囲われた収容部２と、側壁面部２２の上端部２２ａから外側に張り出す本体フランジ部３と、を備え、収容部２の表面を黒色にし、本体フランジ部２の表面を白色にしたことを特徴とする。さらに、収容部２に仕切部２３，２４を設けることができ、仕切部２３，２４の側面２３ｂ，２４ｂを黒色にし、仕切部２３，２４の上面２３ａ，２４ａを白色にすることが好ましい。【選択図】図５
2019137423.tif 000002
【特許請求の範囲】
【請求項１】
底面部と側壁面部とで囲われた収容部と、該側壁面部の上端部から外側に張り出す本体フランジ部と、を備えた包装用容器であって、該収容部の表面を黒色にし、該本体フランジ部の表面を白色にした包装用容器。
【請求項２】
前記本体フランジ部は、容器全周に渡り設けた請求項１に記載の包装用容器。
【請求項３】
前記側壁面部と前記本体フランジ部との境界を角折れ状にした請求項１又は２に記載の包装用容器。
【請求項４】
前記収容部は仕切部で区画されており、該仕切部の側面を黒色にし、該仕切部の上面を白色にした請求項１〜３のいずれかに記載の包装用容器。
【請求項５】
前記仕切部の側面と前記仕切部の上面との境界を角折れ状にした請求項４に記載の包装用容器。
【請求項６】
前記容器本体は一体的に形成されてなる請求項１〜５のいずれかに記載の包装用容器。
【請求項７】
底面部と側壁面部とで囲われた収容部と、該側壁面部の上端部から外側に張り出す本体フランジ部とを備えた容器本体と、該容器本体を被覆でき、該本体フランジに重なる蓋体フランジ部を備えた蓋体とを有する包装用容器であって、
該容器本体の表面を黒色にし、該蓋体フランジ部を白色にし、該蓋体の該蓋体フランジ部分を除く部分を透明にした包装用容器。
【発明の詳細な説明】
【技術分野】
【０００１】
本発明は、主に食料品を収容することができる包装用容器に関する。
【背景技術】
【０００２】
コンビニエンスストアやスーパーマーケットなどの小売店では、お弁当、お惣菜、精肉、鮮魚などの食料品が薄肉の樹脂製容器に収容されて販売されている。
消費者に購入を促すには食料品の鮮度や盛り付けなども重要であるが、購買をアピールするために、容器の色彩や柄等を工夫することなども必要である。
【０００３】
例えば、下記特許文献１には、第一の色が配色してある第一の範囲と、前記第一の範囲の両脇に位置し、第二の色が配色してある第二の範囲とを有し、第一の色は所定の金色、第二の色は所定の紺色、であるラミネートフィルムを積層した包装用容器が開発され、精肉などに高級感を与え、消費者に好印象を与えることができるようにしてある。
【先行技術文献】
【特許文献】
【０００４】
【特許文献１】特開２０１７−１６５４７７号公報
【発明の概要】
【発明が解決しようとする課題】
【０００５】
食料品を収容する容器において、食材の彩りを活かすためには、色彩や柄を設けない単色、特に白色や黒色などの単色が最適であるとも言われている。
容器を白色単色にした場合は、食材のタレなどが容器表面に付着し、目立つことがあり、消費者に不快感を与えることがあり避けたいものである。しかし、容器表面にタレなどを付着させないように素早く的確に盛り付けることは困難で熟練を要するものであった。
【０００６】
容器を黒色単色にした場合は、食材のタレなどが容器表面に付着しても目立ちにくくなり、食材の彩りが活き、消費者の不快感を低減でき、タレなどが付着しても目立たないため熟練者でなくとも盛り付け作業が容易に行える。しかし、陳列した際に、売り場が暗く見え、消費者の購買意欲を減衰させるおそれがあった。
【０００７】
そこで、本発明の目的は、売り場が明るく見え、消費者の購買意欲を刺激することができ、さらに盛り付け作業も容易な包装用容器を提供することにある。
【課題を解決するための手段】
【０００８】
本発明の一実施形態の包装用容器は、底面部と側壁面部とで囲われた収容部と、側壁面部の上端部から外側に張り出す本体フランジ部とを備えた包装用容器であって、該収容部の表面を黒色にし、該本体フランジ部の表面を白色にしたことを特徴とする。
【０００９】
このように、収容部の表面を黒色にすることにより、食材のタレなどが容器表面に付着しても目立ちにくくなり、食材の彩りが活き、消費者に不快感を与えにくくなり、さらに、盛り付け作業が誰でも簡単にできる。また、本体フランジ部の表面を白色にすることにより、容器を上方から俯瞰した際、収容部の黒色により本体フランジ部の白色が引き立ち、縁部が明るく見えるため、売り場が明るくなり、消費者の購買意欲を刺激することができる。
【００１０】
上記形態の包装用容器は、本体フランジ部を容器全周に渡り設けることができ、また、側壁面部と本体フランジ部との境界を角折れ状にすることができる。このようにすることにより、容器の周囲が明るく見えるため、売り場全体が明るく見える。側壁面部と本体フランジ部との境界を角折れ状にすることにより、この部分を境界として、これより内側を黒色、これより外側を白色として色分けを明確にでき、より一層消費者の購買意欲を刺激することができる。
【００１１】
上記形態の包装用容器は、収容部を仕切部で区画し、仕切部の側面を黒色にし、仕切部の上面を白色にすることができ、さらに、仕切部の側面と仕切部の上面との境界を角折れ状にすることができる。このようにすることにより、本体フランジ部と併せて白色部分が多くなるため、より一層売り場を明るくすることができる。
【００１２】
上記形態の包装用容器は、容器本体を一体的に形成されてなることが好ましい。このようにすることにより、収容部を別体として作製し、枠に嵌めて容器を製造する場合に比べて、例えば、製造コストを低減でき、部品数が少なくなるので在庫管理しやすく、保管する場合の収容スペースが狭くて済み、盛り付け作業前の嵌め合せる作業が不要になり、収容部と枠との間に隙間ができて食材等が挟まることがない、などの利点がある。
【００１３】
本発明の他の実施形態の包装用容器は、底面部と側壁面部とで囲われた収容部と、該側壁面部の上端部から外側に張り出す本体フランジ部とを備えた容器本体と、容器本体を被覆でき、本体フランジに重なる蓋体フランジ部を備えた蓋体とを有する包装用容器であって、容器本体の表面を黒色にし、蓋体フランジ部を白色にし、蓋体の蓋体フランジ部分を除く部分を透明にしたことを特徴とする。
【００１４】
このように蓋体を有する包装用容器とした場合でも、容器本体を黒色、蓋体のフランジ部を白色にすることにより、上記形態の包装用容器と同様に、食材のタレなどが本体表面に付着しても目立ちにくくなり、食材の彩りが活き、消費者の不快感を低減できる。容器本体の収容部及び本体フランジ部は黒色であるため、盛り付け作業は熟練者でなくともより一層容易に行うことができる。また、売り場が明るく見え、消費者の購買意欲を刺激することができる。
【図面の簡単な説明】
【００１５】
【図１】本発明の包装用容器の第一の実施形態を示した斜視図である。
【図２】図１に示した包装用容器の平面図である。
【図３】図１に示した包装用容器の仕切部付近の部分拡大端面図である。
【図４】図１に示した包装用容器の側壁面部及び本体フランジ部付近の部分拡大端面図である。
【図５】図１に示した包装用容器の隅部付近の部分拡大平面図である。
【図６】図１に示した包装用容器において、色分けの境界の許容範囲を説明するための図である。
【図７】図１に示した包装用容器の一変形例を示した部分拡大端面図である。
【図８】本発明の包装用容器の第二の実施形態を示した斜視図である。
【図９】図８の包装用容器の平面図である。
【図１０】図８の包装用容器の仕切部付近の部分拡大斜視図である。
【図１１】本発明の包装用容器の第三の実施形態を示し、容器本体と蓋体とをずらした状態での平面図である。
【図１２】図１１の包装用容器において、容器本体と蓋体とを嵌合した状態での側面図である。
【発明を実施するための形態】
【００１６】
以下、本発明の包装用容器の実施形態を図面に基づいて説明する。
【００１７】
本発明の第一の実施形態の包装用容器１は、図１に示すように、収容部２と、本体フランジ部３とを備え、収容部２の表面を黒色にし、本体フランジ部３の表面を白色にしたことを特徴とするものである。
【００１８】
包装用容器１は、図１又は図２に示すように。平面視長方形状に形成してあり、底面部２１と側壁面部２２とで囲われた収容部２を備える。収容部２には、食料品を収容することができるようにしてあり、例えば、惣菜、米飯、麺類、スープ、精肉、鮮魚等の食料品を収容することができ、様々な食材詰め合わせた弁当などにすることもできる。
【００１９】
本実施形態では、包装用容器１は平面視長方形状としてあるが、これに限定されるものではなく、例えば、平面視正方形などの平面視四角形状、平面視五角形状、六角形状又は八角形状などの平面視多角形状、平面視円形状、平面視長円形状など従来公知の形態を含む様々な形態を採ることができる。
【００２０】
底面部２１は、図２に示すように、平面視長方形状の略水平面として形成してある。底面部２１には、上方に突出させた仕切部２３，２４が形成してあり、収容部２を複数に区画するようにしてある。本実施形態では収容部２を３つに分割してある。
【００２１】
仕切部２３は、図２に示すように、底面部２１の中央付近に斜め状（図２では左から右に下る傾斜状）に突出させてあり、収容部２をほぼ二等分するようにしてある。
仕切部２４は、図２に示すように、仕切部２３の一端部寄りから側壁面部２２に向かい斜め状（図２では左から右に上る傾斜状）に突出させてあり、平面視三角形状に収容部２を区画してある。
【００２２】
仕切部２３，２４は、図３に示すように、上面２３ａ，２４ａと側面２４ｂ，２４ｂとを備える断面台形状に形成してあり、上面２３ａ，２４ａと側面３４ｂ，２４ｂとの境界を鈍角状に折れ曲がる角折れ状（微小半径のＲ部）にしてある。
【００２３】
側壁面部２２は、図４に示すように、底面部２１の外縁から上方に拡開するように傾斜状に形成され、上端部２２ａ付近は、凹凸を設け階段状に形成してある。
本実施形態では、収容部２に底面部２１と側壁面部２２とを備えた構成としてあるが、これに限定されるものではなく、底面部２１と側壁面部２２とが滑らかにつながる形態、例えば、半球状に凹む収容部２にしてもよい。
【００２４】
側壁面部２２の上端部２２ａには、外側に張り出す本体フランジ部３が設けてある。
本体フランジ部３は、外側に張り出す水平面状の張出部３１と、張出部３１の外側に下方に傾斜乃至垂下するスカート部３２とを備える。側壁面部２２と本体フランジ部３との境界（側壁面部２２の上端部２２ａ）は、ほぼ垂直状に折れ曲がる角折れ状（微小半径のＲ部）に形成してある。
【００２５】
張出部３１は、容器全周に渡り形成してあり、一定幅で張り出すようにしてある。
スカート部３２は、張出部３１の外端部から傾斜面状に下り、その下側に湾曲状に外側に膨出させた膨出部３２ａを設けてある。膨出部３２ａの下側は、垂直面状に形成し、さらにその下側を放物線状に下る傾斜面としてある。
包装用容器１の各隅部付近には、図２に示すように、水平状に延出する摘み部３３が設けてある。
【００２６】
包装用容器１は、図５などに示すように、収容部２の表面を黒色（図５の薄墨色部分）にしてあり、本体フランジ部３の表面を白色にしてある。収容部２は底面部２１、側壁面部２２、仕切部２３，２４を含み、本体フランジ部３は張出部３１、スカート部３２を含むものであり、側壁面部２２の上端部２２ａを境界として、上端部２２ａより内側を黒色、外側を白色と色分けしてある。
【００２７】
本発明において白色とは、マンセル表色系にて、Ｈ＝２０〜１３°、Ｓ＝４〜１％、Ｖ＝９６〜９０％の条件を満たすのが好ましい。また、白色を基調としてあればよく、本発明の効果を減じない程度で柄や他の色彩などが描かれていてもよい。
【００２８】
本発明において黒色とは、マンセル表色系にて、Ｈ＝６６〜５０°、Ｓ＝２７〜１％、Ｖ≦３０〜４％の条件を満たすのが好ましい。また、黒色を基調としてあればよく、本発明の効果を減じない程度で柄や他の色彩などが描かれていてもよい。
【００２９】
包装用容器１は、側壁面部２２の上端部２２ａを境界として白色と黒色の色分けをしてあるが、黒色が上端部２２ａをやや超えて本体フランジ部３に表れることや白色が上端部２２ａをやや超えて収容部２に表れることも許容するものである。
より具体的には、図６（ａ）には白色が上端部２２ａを超えて収容部２に表れた場合が示してあり、本体フランジ部３の水平方向の幅Ｌａに対し、上端部２２ａから収容部２側に入り込む長さＬｂが０．６Ｌａ以下、好ましくは０．４Ｌａ以下の範囲を許容するものである。
また、図６（ｂ）には黒色が上端部２２ａを超えて本体フランジ部３に表れた場合が示してあり、本体フランジ部３の水平方向の幅Ｌａに対し、上端部２２ａから本体フランジ部３側に入り込む長さＬｃが０．６Ｌａ以下、好ましくは０．５Ｌａ以下の範囲を許容するものである。
【００３０】
本実施形態では、側壁面部２２と本体フランジ部３とが角折れ状にしてあり境界（上端部２２ａ）が認識しやすいものであるが、図７に示す容器のような場合は、側壁面部２２と本体フランジ部３とが滑らかにつながり、本体フランジ部３を上側に凸状に湾曲させてあるため境界が認識しづらいものである。
このような場合は、例えば、側壁面部２２の延長線Ｘと本体フランジ部３の頂点における水平方向の接線Ｙとの交点Ｚから降ろした垂線と容器１が交わる箇所近辺を境界（側壁面部２２の上端部２２ａ）にすることができる。
【００３１】
包装用容器１は、いわゆる薄肉の合成樹脂シート、例えば、シート厚０．１０ｍｍ〜４．０ｍｍ、好ましくは０．１５ｍｍ〜２．５ｍｍの合成樹脂シートを真空成形、圧空成形、真空圧空成形、熱板成形などの熱成形をして製造することができる。
【００３２】
合成樹脂シートとしては、特に限定するものではないが、発泡樹脂シート、非発泡樹脂シートのいずれでもよく、例えば、ポリエチレン系樹脂シートやポリプロピレン系樹脂シートなどのポリオレフィン系樹脂シート、ポリスチレン系樹脂シート、ポリエチレンテレフタレート系樹脂シートや耐熱性を付与した変性ポリエチレンテレフタレート系樹脂シートなどのポリエステル系樹脂シートなどの熱可塑性樹脂シートを挙げることができる。なかでも、電子レンジの加熱に耐え得るもの、例えば、耐熱性ポリスチレン系樹脂シート、ポリプロピレン系樹脂シート、耐熱性を付与した変性ポリエチレンテレフタレート系樹脂シートが好ましい。
また、合成樹脂シートとして積層シートを用いることもでき、積層シートとしては、例えば、合成樹脂シートにフィルムを熱ラミネートした積層シート、共押出法による積層シート、押出ラミネート法による積層シートなどを挙げることができる。
【００３３】
合成樹脂シートとして、例えば、熱成形後に収容部２になる位置に予め黒色を印刷し、本体フランジ部３になる位置に予め白色を印刷したものを用いることにより、白色と黒色で色分けされた包装用容器１を作製できる。
【００３４】
合成樹脂シートに白色及び黒色を印刷するには、１枚の合成樹脂シートに白色及び黒色を直接印刷をして作製してもよいが、ラミネートフィルムに白色又は黒色を印刷し、それを基材シートに積層して作製してもよい。例えば、ラミネートフィルムに、黒色及び白色を印刷しておき、この印刷したラミネートフィルムを基材シートに積層すること、透明ラミネートフィルムに白色のみを印刷しておき、それを黒色の基材シートに積層すること、透明ラミネートフィルムに黒色のみを印刷しておき、それを白色の基材シートに積層することなどにより、黒色及び白色に印刷した合成樹脂シートを作製することができる。
【００３５】
また、包装用容器１は、一体的に作製するのが製造コストや作業性などの観点から好ましい。
【００３６】
包装用容器１の裏面の色は、特に限定するものではなく、黒色、白色、その他の色などいずれでもよく、また、柄などを印刷してもよい。
包装用容器１は、蓋体（図示せず）を被嵌できるようにしてもよく、膨出部３２ａに嵌め合せできるようにするのが好ましい。蓋体を設ける場合は、包装用容器１の色が視認できるように透明にするのが好ましい。
【００３７】
包装用容器１は、収容部２の表面を黒色にすることにより、食材のタレなどが容器表面に付着しても目立ちにくくなり、食材の彩りが活き、消費者に対する不快感を低減でき、さらに、熟練者でなくとも盛り付け作業を容易に行うことができる。また、本体フランジ部３の表面を白色にすることにより、特に上方から俯瞰した場合、収容部２の黒色により本体フランジ部３の白色が引き立ち、売り場が明るく見え、消費者の購買意欲を刺激することができるものである。
【００３８】
以下の、本発明の第二の実施形態の包装用容器４について説明する。
包装用容器４は形状的には異なるが、基本的には上記包装用容器１と同じ発明構成であり、同一箇所の詳しい説明は省略する。
本発明の第二の実施形態の包装用容器４、図８又は図９に示すように、収容部５と、本体フランジ部６とを備える。
【００３９】
包装用容器４は、平面視円形状に形成してあり、底面部５１と側壁面部５２とで囲われた収容部５を備える。
【００４０】
底面部５１は平面視円形状の略水平面として形成し、側壁面部５２は底面部５１の周縁から傾斜状に立ち上がるように形成してある。収容部５には、食料品を収容することができるようにしてある。
【００４１】
底面部５１には、上方に突出させた仕切部５３，５４を形成し、収容部２を複数に区画するようにしてある。本実施形態では収容部５を６つに分割してある。
仕切部５３は、底面部５１の中央付近に円形状に突出させてあり、容器１の中央付近において円形状に収容部５を区画してある。
仕切部５４は、仕切部５３から側壁面部５２に向かい放射状にほぼ等間隔で突出させてあり、平面視扇状に収容部５を区画してある。
【００４２】
仕切部５３，５４は、図１０に示すように、上面５３ａ，５４ａと側面５３ｂ，５４ｂとを備える断面台形状に形成してあり、上面５３ａ，５４ａと側面５３ｂ，５４ｂとの境界を鈍角状に折れ曲がる角折れ状（微小半径のＲ部）にしてある。
【００４３】
側壁面部５２の上端部５２ａには、図８に示すように、外側に張り出す本体フランジ部６が容器全周に渡り設けてある。
【００４４】
包装用容器４は、収容部５の表面を黒色にしてあり、本体フランジ部６の表面及び仕切部５３，５４の上面５３ａ，５４ａを白色にしてある。
【００４５】
このように、包装用容器４は、本体フランジ部６の表面だけでなく、仕切部５３，５４の上面５３ａ，５４ａをも白色にしてあり、上方から俯瞰した場合、白色が目立つため、売り場が明るく見え、消費者の購買意欲をより一層刺激することができるものである。
【００４６】
以下、本発明の第三の実施形態の包装用容器７について説明する。
本発明の第三の実施形態の包装用容器７は、図１１に示すように、容器本体８と、容器本体８に被せることができ、蓋体フランジ部９１を有する蓋体９と、を備え、容器本体８の表面を黒色にし、蓋体９の蓋体フランジ部９１を白色、蓋体９のその他の部分を透明にしたことを特徴とするものである。
【００４７】
容器本体８は、上記第一の実施形態の包装用容器１と同一形状であるため詳しい説明は省略し、収容部１０、本体フランジ部１１は、それぞれ収容部２、本体フランジ部３に相当するものとする。
容器本体８は、収容部１０及び本体フランジ部１１の表面、つまり表面全面を黒色にしたものである。
【００４８】
蓋体９は、図１１又は図１２に示すように、平面視長方形状の天面部９２と、天面部９２の周縁から拡開しながら傾斜面状に下る側壁面部９３と、側壁面部９３の下端から外側に張り出す蓋体フランジ部９１と、を備える。
【００４９】
天面部９２及び側壁面部９３は、蓋体９を容器本体８に被せた状態で、収容部１０を覆うようにしてある。
蓋体フランジ部９１は、側壁面部９３の下端部から外側に一定幅で張り出すように形成し、蓋体９の全周に渡り設けてあり、蓋体９を容器本体８に被せた状態で、本体フランジ部１１に重なり、本体フランジ部１１の表面を覆うようにしてある。蓋体フランジ部９１の先端側には、下方に傾斜乃至垂下するスカート部９１ａが設けてある。
スカート部９１ａは、本体フランジ部１１のスカート部１１ａに嵌合できるように形成してあり、蓋体９が容器本体８に外嵌合できるようにしてある。
【００５０】
蓋体フランジ部９１は白色にしてあり、蓋体９のその他の部分（天面部９２及び側壁面部９３）は透明にしてある。
天面部９２及び側壁面部９３は透明であるため、蓋体９を容器本体８に被せた状態で、内部を視認でき、収容部１０の黒色を視認することができる。
蓋体フランジ部９１は白色であるため、蓋体９を容器本体８に被せた状態で、包装用容器７の周縁を白色にすることができる。
【００５１】
本実施形態では、蓋体９に天面部９２と側壁面部９３とを備えた構成としてあるが、これに限定されるものではなく、天面部９２と側壁面部９３とを一体的にした形態、例えば、半球状に膨らむ蓋体９にしてもよい。また、側壁面部９３を設けず、天面部９２及び蓋体フランジ部９１を平面状に一体的にした形態にしてもよい。
【００５２】
蓋体９は、例えば、上記包装用容器１と同様に、合成樹脂シートを熱成形して製造することができる。
【００５３】
この際、合成樹脂シートは、例えば、透明な合成樹脂シートを用い、熱成形後に蓋体フランジ部９になる位置に予め白色を印刷しておくことが好ましい。
【００５４】
包装用容器７は、天面部９２及び側壁面部９３を透明にしたため、蓋体９を容器本体８に被せた状態で収容部１０の黒色を視認でき、容器７の中央付近を黒色にすることができ、蓋体フランジ部９１を白色にしたため容器７の周囲を白色にすることができる。
そのため、上記包装用容器１，４と同様に、陳列時に食材のタレなどが容器本体８の表面に付着しても目立ちにくくなり、食材の彩りが活き、消費者の不快感を低減でき、さらに、容器本体８の収容部１０及び本体フランジ部１１を黒色としてあるため、熟練者でなくとも盛り付け作業をより一層容易に行うことができる。また、包装用容器７の周囲が白色であるため、収容部１０の黒色により蓋体フランジ部９１の白色が引き立ち、売り場が明るく見え、消費者の購買意欲を刺激することができるものである。
【００５５】
上記実施形態の構成態様は、本発明を限定するものとして挙げたものではなく、技術目的を共通にするかぎり変更は可能であり、本発明はそのような変更を含むものである。
【符号の説明】
【００５６】
１，４，７包装用容器
２，５収容部
２１，５１底面部
２２，５２側壁面部
２２ａ，５２ａ上端部
２３，２４，５３，５４仕切部
２３ａ，２４ａ，５３ａ，５４ａ上面
２３ｂ，２４ｂ，５３ｂ，５４ｂ側面
３，６本体フランジ部
３１張出部
３２スカート部
３２ａ膨出部
８容器本体
９蓋体
９１蓋体フランジ部
９１ａスカート部
９２天面部
９３側壁面部
１０収容部
１１本体フランジ部
１１ａスカート部
【図１】
2019137423.tif 000003
【図２】
2019137423.tif 000004
【図３】
2019137423.tif 000005
【図４】
2019137423.tif 000006
【図５】
2019137423.tif 000007
【図６】
2019137423.tif 000008
【図７】
2019137423.tif 000009
【図８】
2019137423.tif 000010
【図９】
2019137423.tif 000011
【図１０】
2019137423.tif 000012
【図１１】
2019137423.tif 000013
【図１２】
2019137423.tif 000014